(57)【要約】【課題】携帯用電子機器の損壊を防止し、かつ、補助工具を使用することなく取り替え可能な携帯用電子機器の保護カバーを提供する。【解決手段】筐体１は、第１開口部１０の一方の側に形成された切口１１と、切口１１の両縁に形成された第１ストッパー１２と、切口１１に突出して形成された二つの第１突起状固定部１３と、二つの第１突起状固定部１３の間に形成された第１スリット１４と、第１開口部１０を形成する内壁に形成されたスライド溝１５を有する。筐体１に装着される蓋２は、筐体１のスライド溝１５に嵌る嵌合縁部２１と、嵌合縁部２１の両端に形成された第２ストッパー２２と、第１突起状固定部１３に対応する位置に形成された第２スリット２３と、第２スリット２３内に形成された第２突起状固定部２４と、第１突起状固定部１３と結合するように第２突起状固定部２４の外側に形成された嵌合溝２５とを有する。【選択図】  図１
0003172683.tif 000002
【実用新案登録請求の範囲】
【請求項１】
第１開口部、この第１開口部の一方の側に形成された切口、この切口の両縁に形成された第１ストッパー、および第１開口部を形成する内壁に沿って形成されたスライド溝を有する筐体と、
第２開口部、筐体のスライド溝に嵌るように突出して形成された嵌合縁部、および嵌合縁部の両端に形成された第２ストッパーを有し、筐体に装着される蓋と、を備え、
筐体は、切口に突出して形成された第１突起状固定部および第１スリットを有し、
蓋は、筐体の第１突起状固定部に対応する位置に第２スリットを有し、その第２スリット内に第２突起状固定部を有し、その第２突起状固定部の外側に筐体の第１突起状固定部と結合可能な嵌合溝を有することを特徴とする携帯用電子機器の保護カバー。
【請求項２】
筐体は、内壁面に貼り付けられたパッドを有することを特徴とする請求項１に記載の携帯用電子機器の保護カバー。
【考案の詳細な説明】
【技術分野】
【０００１】
本考案は、携帯用電子機器の保護カバーに関し、詳しくは、携帯用電子機器（コンピュータComputer、通信機器Communication及び家電製品Consumer Electronics−携帯電話、PDA、iPod（登録商標）、iPad（登録商標）、iPhone（登録商標）、ノートパソコンなどの現代の電子機器を含む）の周りに被せることで衝撃によって携帯用電子機器が損壊することを防止し、さらに補助工具を使用することなく色違いの保護カバーに取り替えることが可能な携帯用電子機器の保護カバーに関する。
【背景技術】
【０００２】
一般の携帯用電子機器は、ケースがプラスチック材料から形成され、衝突または落下によって破損することがある。本考案者は、一般の携帯用電子機器を使用する際に発生する上述の欠点に対し、研究および改良を進めた結果、本考案を完成させた。
【考案の概要】
【考案が解決しようとする課題】
【０００３】
本考案は、携帯用電子機器の周りに完全に被せることで、衝撃により携帯用電子機器が損壊することを防止し、かつ、補助工具を使用することなく色違いの保護カバーに取り替えることが可能な携帯用電子機器の保護カバーを提供することを主な目的とする。
【課題を解決するための手段】
【０００４】
本考案による携帯用電子機器の保護カバーは、筐体および蓋を備える。筐体は、第１開口部、この第１開口部の一方の側に形成された切口、この切口の両縁に形成された第１ストッパー、および第１開口部を形成する内壁に沿って形成されたスライド溝を有する。蓋は筐体に装着され、第２開口部、筐体のスライド溝に嵌るように突出して形成された嵌合縁部、および嵌合縁部の両端に形成された第２ストッパーを有する。
【０００５】
その特徴は次の通りである。筐体は、切口に突出して形成された第１突起状固定部および第１スリットを有する。これに対し、蓋は、筐体の第１突起状固定部に対応する位置に第２スリットを有し、第２スリット内に第２突起状固定部を有し、第２突起状固定部の外側に筐体の第１突起状固定部と結合可能な嵌合溝を有する。
本考案において、筐体は内壁面に貼り付けられたパッドを有する。
【図面の簡単な説明】
【０００６】
【図１】本考案の一実施形態による携帯用電子機器の保護カバーを示す分解斜視図である。
【図２】本考案の一実施形態による携帯用電子機器の保護カバーを示す斜視図である。
【図３】本考案の一実施形態による携帯用電子機器の保護カバーを示す断面図である。
【図４】本考案の一実施形態による携帯用電子機器の保護カバーにおいて蓋を取り出す状態を示す断面図である。
【考案を実施するための形態】
【０００７】
以下、本考案による携帯用電子機器の保護カバーを図面に基づいて説明する。
（一実施形態）
本考案の一実施形態による携帯用電子機器の保護カバーは、図１から図４に示すように、筐体１および蓋２から構成される。筐体１および蓋２は金属材質から構成され、かつ様々な色を呈することができる。
筐体１は第１開口部１０と、この第１開口部１０の一方の側に形成された切口１１と、切口１１上の両縁に形成された第１ストッパー１２と、切口１１に突出して形成された二つの第１突起状固定部１３と、二つの第１突起状固定部１３の間に形成された第１スリット１４と、第１開口部１０を形成する内壁面の三辺に沿って形成されたスライド溝１５と、内壁面に貼り付けられたパッド１６とを有する。
蓋２は筐体１に装着され、第２開口部２０と、筐体１のスライド溝１５に嵌るように三辺に突出して形成された嵌合縁部２１と、嵌合縁部２１の両端に形成された第２ストッパー２２と、筐体１の二つの第１突起状固定部１３に対応する位置に形成された第２スリット２３と、第２スリット２３内に形成された第２突起状固定部２４と、筐体１の第１突起状固定部１３と結合するように第２突起状固定部２４の外側に形成された嵌合溝２５とを有する。以上は携帯用電子機器の保護カバーの構成についての説明である。  
【０００８】
図１から図４に示すように、使用の際に携帯用電子機器を筐体１内に入れ、筐体１で携帯用電子機器の周りを囲む。続いて蓋２の嵌合縁部２１と筐体１の切口１１上の両端のスライド溝１５とを向かい合わせ、蓋２を筐体１の切口１１から奥に押せば、蓋２の嵌合縁部２１は筐体１の内壁面のスライド溝１５に嵌り、蓋２の第２ストッパー２２は筐体１の第１ストッパー１２に当接し、筐体１の第１突起状固定部１３は蓋２の第２スリット２３内をスライドして蓋２の嵌合溝２５に嵌る。このとき蓋２は第２突起状固定部２４と筐体１の第１突起状固定部１３とが相互に嵌ることによって固定されるため、筐体１から脱落することがない。つまり、本考案による保護カバー内に携帯用電子機器を安定して格納することができる。かつ携帯用電子機器の枠は筐体１の内壁面上のパッド１６の緩衝によって保護されるため、携帯用電子機器は衝撃を受けても損壊を避けることができる。図４に示すように、保護カバーを交換する際、筐体１の第１スリット１４内に指の爪を入れて蓋２の辺縁を外側に動かし、筐体１と逆方向に沿って蓋２を外側に移動させ、筐体１の第１突起状固定部１３を蓋２の嵌合溝２５から外し、第１突起状固定部１３と第２突起状固定部２４とを分離する。このとき第１突起状固定部１３は図４の破線に示すように蓋２の第２スリット２３に沿ってスライドできる。蓋２の嵌合縁部２１は筐体１のスライド溝１５に沿って外部までスライドできる。つまり、筐体１から蓋２を取り外し、携帯用電子機器を筐体１内から取り出し、色違いの保護カバーに取り替えることができる。上述した通り、本考案は、補助工具を使用することなく、取り替え作業を行うことができるため、取り替えが極めて便利かつ迅速であり、かつ携帯用電子機器が衝撃を受けたときに損壊することを防止できるだけでなく、携帯用電子機器の外観に極めて良好な装飾効果を与えることができる。
【０００９】
上述した内容により、本考案は所期の目的および効果を確実に達成できるだけでなく、従来のものと比べて好ましく、実用性を有する。本考案は、上記実施形態になんら限定されるものではなく、考案の趣旨を逸脱しない範囲において種々の形態で実施可能である。
【符号の説明】
【００１０】
１  ・・・筐体  
２  ・・・蓋  
１０・・・第１開口部  
１１・・・切口  
１２・・・第１ストッパー  
１３・・・第１突起状固定部  
１４・・・第１スリット  
１５・・・スライド溝  
１６・・・パット  
２０・・・第２開口部  
２１・・・嵌合縁部  
２２・・・第２ストッパー  
２３・・・第２スリット  
２４・・・第２突起状固定部  
２５・・・嵌合溝
【図１】
0003172683.tif 000003
【図２】
0003172683.tif 000004
【図３】
0003172683.tif 000005
【図４】
0003172683.tif 000006